(57)【要約】【課題】縦口路内に籾殻を給送可能な籾殻給送機構を設けてなるから、籾殻を籾殻給送機構により縦口路に給送することができ、縦口路内に籾殻が詰入され、籾殻の存在により縦口路の開口からの圃場面の泥土の進入や縦口路の内面の泥土窄口により縦口路が閉塞されることを抑制することができる。【解決手段】走行機体１に連結機構２により機枠３を連結し、機枠に穿入ビーム４を揺振機構５により進行方向に揺振動作自在に縦設し、穿入ビームの進行方向後方位置に穿入ビームにより圃場土中Ｗの上下方向に延びて形成される穿入跡溝Ｓの側面を拡張して地表面Ｍに開口する縦口路Ｔを形成可能な拡張部材１４を設け、拡張部材を拡張動作させる拡張機構１５を設けてなり、縦口路内に籾殻Ｃを給送可能な籾殻給送機構２５を設けてなる。【選択図】図２
2017006038.tif 000002
【特許請求の範囲】
【請求項１】
走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を設けてなり、上記縦口路内に籾殻を給送可能な籾殻給送機構を設けてなることを特徴とする圃場縦口路形成装置。
【請求項２】
上記籾殻給送機構は、上記籾殻を収容可能な収容タンク、該収容タンクからの籾殻を上記縦口路内に落下給送可能な給送管及び該給送管の籾殻通路を開閉可能な開閉機構からなることを特徴とする請求項１記載の圃場縦口路形成装置。
【請求項３】
上記開閉機構は上記給送管の籾殻通路を開閉可能な旋回部材からなり、該旋回部材は上記拡張部材の拡張動作により開閉旋回動作可能に設けられていることを特徴とする請求項１又は２記載の圃場縦口路形成装置。
【発明の詳細な説明】
【技術分野】
【０００１】
本発明は例えば水田や畑の圃場土中に縦口路を形成する圃場縦口路形成装置に関するものである。
【背景技術】
【０００２】
従来、この種の圃場縦口路形成装置として、走行機体に連結機構により機枠を連結し、機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、拡張部材を拡張動作させる拡張機構を配設してなる構造のものが知られている。
【０００３】
しかして、水田等は表層の耕耘層、その下層の耕盤層、さらに下層の芯土層からなり、この耕耘層、耕盤層及び芯土層に穿入ビームを穿入進行させ、耕盤層を破って圃場土中の上下方向に延びて穿入跡溝を形成し、拡張部材により圃場土中の上下方向に延びて形成される穿入跡溝の側面を拡張して地表面に開口する縦口路を形成し、縦口路及び穿入跡溝の存在により、水はけの良化、水管理、田面の乾田化、微生物繁殖の活性化、水稲等の根の深部への生育を良化することになる。
【先行技術文献】
【特許文献】
【０００４】
【特許文献１】特許第４１１０５３８号公報
【発明の概要】
【発明が解決しようとする課題】
【０００５】
しかしながら上記従来構造の場合、上記穿入跡溝及び上記縦口路は圃場の地表面に比較的小さな断面積のままに開口形成されているから、穿入跡溝及び縦口路の地表面の開口が圃場表面の泥土により閉塞されることがあり、圃場の地表面から芯土層までの距離が比較的長いこともあって、圃場の排水性及び通気性を低下させることがあるという不都合を有している。
【課題を解決するための手段】
【０００６】
本発明はこのような不都合を解決することを目的とするもので、本発明のうちで、請求項１記載の発明は、走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を設けてなり、上記縦口路内に籾殻を給送可能な籾殻給送機構を設けてなることを特徴とする圃場縦口路形成装置にある。
【０００７】
又、請求項２記載の発明は、上記籾殻給送機構は、上記籾殻を収容可能な収容タンク、該収容タンクからの籾殻を上記縦口路内に落下給送可能な給送管及び該給送管の籾殻通路を開閉可能な開閉機構からなることを特徴とするものであり、又、請求項３記載の発明は、上記開閉機構は上記給送管の籾殻通路を開閉可能な旋回部材からなり、該旋回部材は上記拡張部材の拡張動作により開閉旋回動作可能に設けられていることを特徴とするものである。
【発明の効果】
【０００８】
本発明は上述の如く、請求項１記載の発明にあっては、走行機体の進行に伴い穿入ビームは進行方向に揺振動作しつつ圃場土中に穿入して穿入跡溝を形成すると共に、上記穿入ビームの進行方向後方位置に配置された拡張部材は拡張機構により拡張動作し、穿入ビームにより圃場土中の上下方向に延びて形成される穿入跡溝を拡張して地表面に開口する縦溝状の縦口路を形成することになり、この際、上記縦口路内に籾殻を給送可能な籾殻給送機構を設けてなるから、籾殻を籾殻給送機構により縦口路に給送することができ、縦口路に籾殻が給送されることにより縦口路内に籾殻が詰入され、籾殻の存在により縦口路の開口からの圃場面の泥土の進入や縦口路の内面の泥土窄口により縦口路が閉塞されることを抑制することができ、圃場面の水は縦口路の開口から籾殻間の空隙を介して芯土層に至ることになり、圃場の排水性及び通気性を良好に保持することができ、水はけの良化、水管理、田面の乾田化、微生物繁殖の活性化、水稲等の根の深部への生育を良化することができる。
【０００９】
又、請求項２記載の発明にあっては、上記籾殻給送機構は、上記籾殻を収容可能な収容タンク、収容タンクからの籾殻を上記縦口路内に落下給送可能な給送管及び給送管の籾殻通路を開閉可能な開閉機構からなるから、縦口路内に籾殻を給送可能な籾殻給送機構の構造を簡素化することができ、又、請求項３記載の発明にあっては、上記開閉機構は上記給送管の籾殻通路を開閉可能な旋回部材からなり、旋回部材は上記拡張部材の拡張動作により開閉旋回動作可能に設けられているから、拡張部材の拡張動作により旋回部材が開閉旋回することになって開閉機構の構造を簡素化することができると共に籾殻を縦口路内に確実に給送することができる。
【図面の簡単な説明】
【００１０】
【図１】本発明の実施の形態例の全体側面図である。
【図２】本発明の実施の形態例の拡大側断面図である。
【図３】本発明の実施の形態例の拡大平断面図である。
【図４】本発明の実施の形態例の拡大側断面図である。
【図５】本発明の実施の形態例の部分拡大側断面図である。
【図６】本発明の実施の形態例の部分正断面図である。
【図７】本発明の実施の形態例の部分側断面図である。
【図８】本発明の実施の形態例の部分正断面図である。
【図９】本発明の実施の形態例の部分平断面図である。
【図１０】本発明の実施の形態例の説明平断面図である。
【図１１】本発明の実施の形態例の部分平断面図である。
【図１２】本発明の実施の形態例の部分後断面図である。
【図１３】本発明の実施の形態例の部分平断面図である。
【図１４】本発明の実施の形態例の部分後断面図である。
【図１５】本発明の実施の形態例の部分平断面図である。
【図１６】本発明の実施の形態例の説明後断面図である。
【図１７】本発明の実施の形態例の説明平断面図である。
【発明を実施するための形態】
【００１１】
図１乃至図１７は本発明の実施の形態例を示し、１は走行機体であって、この場合、トラクタが用いられ、図１、図３の如く、走行機体１の後部に三点リンク式の連結機構２により機枠３を上下動可能に連結して構成している。
【００１２】
この場合、上記連結機構２は、図１、図２、図３の如く、上記走行機体１の後部に左右の下部リンク２ａ・２ａ、上部リンク２ｂ、吊上リンク２ｃ・２ｃ及び油圧アーム２ｄ・２ｄからなる三点リンク機構が設けられ、この三点リンク機構により走行機体１に機枠３を連結し、三点リンク機構の油圧アーム２ｄ・２ｄの上下揺動により機枠３を上下動自在に設けて構成している。
【００１３】
４は穿入ビーム、５は揺振機構であって、この場合、図２、図４の如く、機枠３に揺動アーム６の中程部を支点軸７により揺振動作自在に枢着すると共に機枠３に主軸８を軸受８ａ・８ａにより回転自在に横設し、揺動アーム６の進行方向後部に穿入ビーム４を取付け、主軸８とトラクタの動力取出軸１ａとを自在継手９により連結し、主軸８と揺動アーム６の進行方向前部との間に偏心輪機構１０を介装し、この場合、図７、図８、図９の如く、偏心輪機構１０として、上記主軸８の軸受８ａ・８ａ間に偏心軸部１０ａを形成し、偏心軸部１０ａの中心軸線は主軸８の回転軸線に対して偏心量εだけ偏心し、偏心軸部１０ａに接続部材１０ｂの上側の軸受１０ｃを嵌合し、接続部材１０ｂの下側の軸受１０ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１０を介して揺動アーム６を支点軸７を中心として上下揺振動作させ、揺動アーム６の後端部に穿入ビーム４を上下方向に取付けて構成している。
【００１４】
しかして、走行機体１の進行に伴い穿入ビーム４は揺振機構５により進行方向に揺振動作しつつ圃場土中Ｗに穿入して穿入跡溝Ｓを形成することになる。
【００１５】
１４は拡張部材、１５は拡張機構であって、この拡張部材１４は上記穿入ビーム４の進行方向後方位置としての縦口路形成位置Ｄに配設され、穿入ビーム４により圃場土中Ｗの上下方向に延びて形成される穿入跡溝Ｓの一方側面を拡張して地表面Ｍに開口する縦口路Ｔを形成可能に設けられ、この拡張機構１５にあっては、図１０の如く、拡張部材１４を進行方向後方向きの非拡張位置Ｋから進行方向側方向き、この場合、進行方向後方向きからθ＝略８０°振った側方向きの拡張位置Ｇに間欠的に強制拡張動作させるように構成している。
【００１６】
この場合、上記拡張機構１５として、図２の如く、上記機枠３の後部に軸受筒体１６を縦設し、軸受筒体１６に軸状体１７を縦回り回動自在に縦設し、軸受筒体１６の前部及び後部に穿入跡溝Ｓより幅狭の板状の軸受片体１８・１８を形成し、軸状体１７の下端部に拡張部材１４の上部を取付け、拡張部材１４の下部を軸受片体１８・１８に支持ピン１８ａにより回転自在に軸受し、拡張部材１４には羽根板状の突状体１４ａが上下に延びて形成され、又、この場合、図３の如く、拡張機構１５として、間欠拡張機構１５ａが用いられ、この場合、上記機枠３に減速機構１９を取付け、減速機構１９の入力軸１９ａと主軸８とを継手８ｂにより連結し、減速機構１９の出力軸１９ｂに旋回アーム２０を取付け、旋回アーム２０に押動ロール２１を植設し、軸状体１７の上端部に押動ロール２１により押圧可能な係合爪部材２２を水平突設している。
【００１７】
しかして、図３、図１０、図１１の如く、主軸８の回転により減速機構１９の出力軸１９ｂが回転し、出力軸１９ｂの回転により旋回アーム２０が矢印方向に水平旋回し、旋回アーム２０の押動ロール２１は係合爪部材２２を係合押動し、この押動により拡張部材１４は強制的に所定角度縦回り回動し、これにより、図１０、図１７の如く、縦口路Ｔが拡張形成され、更なる回動により押動ロール２１が係合爪部材２２から離反すると、拡張部材１４の羽根板状の突状体１４ａは穿入ビーム４の穿入跡溝Ｓの側面に当接して戻り復帰回動し、拡張部材１４の突状体１４ａは間欠的に所定角度往復回動し、穿入ビーム４により圃場土中Ｗの上下方向に延びて形成される穿入跡溝Ｓの一方側面を拡張して地表面Ｍに開口する縦口路Ｔを形成することになる。
【００１８】
２３は予溝切体であって、図６の如く、上記機枠３に取付片２３ａを垂設し、取付片２３ａに予溝切体２３を車軸２３ｂにより回転自在に取付け、穿入ビーム４の進行方向前方位置に予条溝Ｆを形成するように構成している。
【００１９】
２４は転輪体であって、この場合、図２、図３の如く、上記機枠３の左右両側位置に取付アーム２４ａ・２４ａを高低調節機構２４ｂにより高低調節自在に配置し、田面等の地表面Ｍに転輪体２４を接地させ、機枠３の安定走行及び穿入跡溝Ｓの地表面Ｍからの形成高さの設定を図るように構成している。
【００２０】
２５は籾殻給送機構であって、上記縦口路Ｔ内に籾殻Ｃを給送可能に構成され、この場合、図２、図３、図４の如く、上記籾殻給送機構２５は、上記籾殻Ｃを収容可能な収容タンク２６、収容タンク２６からの籾殻Ｃを上記縦口路Ｔ内に落下給送可能な給送管２７及び給送管２７の内穴とした籾殻通路Ｐを開閉可能な開閉機構２８からなり、この場合、上記機枠３の進行方向後部に取付枠体２５ａを取付け、取付枠体２５ａに収容タンク２６を取付け、この場合、図４、図５の如く、収容タンク２６は、籾殻Ｃを詰入可能な詰入口２６ａ、蓋体２６ｂ、排出口２６ｃ及び開閉板２６ｄを備えてなり、開閉板２６ｄの開移動により籾殻Ｃを排出可能に構成している。
【００２１】
この場合、上記開閉機構２８は上記給送管２７の籾殻通路Ｐを開閉可能な旋回部材２８ａからなり、旋回部材２８ａは上記拡張部材１４の拡張動作により開閉旋回動作可能に設けられ、この場合、上記給送管２７を上記軸受筒体１６の外周面に連結片１６ａを介して取付け、給送管２７の上端部と収容タンク２６の排出口２６ｃとを可撓性を有する接続管２７ａにより接続し、給送管２７の下端部を縦口路Ｔに上方位置にして圃場の地表面Ｍに近接する位置に設け、図１２、図１３、図１４、図１５の如く、上記旋回部材２８ａを上記拡張部材１４に取付け、旋回部材２８ａを円盤状に形成し、上記拡張部材１４の拡張動作により旋回部材２８ａを給送管２７の下端面対向位置から側方退避位置の間で旋回自在に設けている。
【００２２】
しかして、拡張部材１４が非拡張位置Ｋにあるとき、旋回部材２８ａは給送管２７の下端面に対向位置して籾殻通路Ｐの下端を閉塞し、一方、拡張部材１４が拡張位置Ｇにあるとき、旋回部材２８ａは給送管２７側方に退避して籾殻通路Ｐを開放し、籾殻通路Ｐの下端から籾殻Ｃは自重落下し、図１６、図１７の如く、籾殻Ｃは縦口路Ｔに給送されることになる。
【００２３】
この実施の形態例は上記構成であるから、走行機体１の進行に伴い穿入ビーム４は進行方向に揺振動作しつつ圃場土中Ｗに穿入して穿入跡溝Ｓを形成し、上記穿入ビーム４の進行方向後方位置に配置された拡張部材１４は拡張機構１５により拡張動作し、穿入ビーム４により圃場土中Ｗの上下方向に延びて形成される穿入跡溝Ｓを拡張して地表面Ｍに開口する縦溝状の縦口路Ｔを形成することになる。
【００２４】
この場合、上記縦口路Ｔ内に籾殻Ｃを給送可能な籾殻給送機構２５を設けてなるから、籾殻Ｃを籾殻給送機構２５により縦口路Ｔに給送することができ、縦口路Ｔに籾殻Ｃが給送されることにより縦口路Ｔ内に籾殻Ｃが詰入され、籾殻Ｃの存在により縦口路Ｔの開口からの圃場面ａの泥土の進入や縦口路Ｔの内面の泥土窄口により縦口路Ｔが閉塞されることを抑制することができ、圃場面ａの水は縦口路Ｔの開口から籾殻Ｃ間の空隙を介して芯土層に至ることになり、圃場の排水性及び通気性を良好に保持することができ、水はけの良化、水管理、田面の乾田化、微生物繁殖の活性化、水稲等の根の深部への生育を良化することができ、又、この場合、上記籾殻給送機構２５は、上記籾殻Ｃを収容可能な収容タンク２６、収容タンク２６からの籾殻Ｃを上記縦口路Ｔ内に落下給送可能な給送管２７及び給送管２７の籾殻通路Ｐを開閉可能な開閉機構２８からなるので、縦口路Ｔ内に籾殻Ｃを給送可能な籾殻給送機構２５の構造を簡素化することができ、又、この場合、上記開閉機構２８は上記給送管２７の籾殻通路Ｐを開閉可能な旋回部材２８ａからなり、旋回部材２８ａは上記拡張部材１４の拡張動作により開閉旋回動作可能に設けられているから、拡張部材１４の拡張動作により旋回部材２８ａが開閉旋回することになって開閉機構２８の構造を簡素化することができると共に籾殻を縦口路Ｔ内に確実に給送することができる。
【００２５】
この場合、上記穿入ビーム４の進行方向前方位置に上記圃場面ａに予条溝Ｆを溝切可能な予溝切体２３を設けてなるから、予溝切体２３は連れ回り回転しつつ進行して圃場面ａに予条溝Ｆを切り、予条溝Ｆの後から穿入ビーム４が進行方向に揺振動作しつつ穿入して穿入跡溝Ｓを形成するから、穿入跡溝Ｓの形成抵抗を低減することになり、穿入跡溝Ｓの形成作業性を向上することになる。
【００２６】
又、上記機枠３に圃場面を転動可能な転輪体２４を高低調節自在に設け、この場合、上記機枠３の左右両側位置に取付アーム２４ａ・２４ａを高低調節機構２４ｂにより高低調節自在に設け、取付アーム２４ａ・２４ａに転輪体２４を配置しているから、田面等の地表面Ｍに転輪体２４を接地させることで機枠３の安定走行及び穿入跡溝Ｓの地表面Ｍからの形成高さの設定を図ることになる。
【００２７】
尚、本発明は上記の形態例に限られるものではなく、走行機体１、連結機構２、揺振機構５、拡張部材１４、拡張機構１５、籾殻給送機構２５は適宜変更して設計されるものである。
【００２８】
以上の如く、所期の目的を充分達成することができる。
【符号の説明】
【００２９】
Ｗ    圃場土中
Ｓ    穿入跡溝
Ｍ    地表面
Ｔ    縦口路
Ｃ    籾殻
Ｐ    籾殻通路
１    走行機体
２    連結機構
３    機枠
４    穿入ビーム
５    揺振機構
１４    拡張部材
１５    拡張機構
２５    籾殻給送機構
２６    収容タンク
２７    給送管
２８    開閉機構
２８ａ    旋回部材
【図１】
2017006038.tif 000003
【図２】
2017006038.tif 000004
【図３】
2017006038.tif 000005
【図４】
2017006038.tif 000006
【図５】
2017006038.tif 000007
【図６】
2017006038.tif 000008
【図７】
2017006038.tif 000009
【図８】
2017006038.tif 000010
【図９】
2017006038.tif 000011
【図１０】
2017006038.tif 000012
【図１１】
2017006038.tif 000013
【図１２】
2017006038.tif 000014
【図１３】
2017006038.tif 000015
【図１４】
2017006038.tif 000016
【図１５】
2017006038.tif 000017
【図１６】
2017006038.tif 000018
【図１７】
2017006038.tif 000019